(57)【要約】  【課題】  バックライト装置に移動自在に内蔵される拡散板および光学シートが移動して発する衝突音を小さくする。  【解決手段】  拡散板６、光学シート５を、熱膨張分の隙間を介して、バックライトシャーシ４の上端に形成された枠９内に移動自在に収納・保持したバックライト装置において、前記拡散板６、光学シート５の外周辺に、それぞれ前記拡散板６、光学シート５と一体的に突起６ａ、突起５ａ〜５ｈを突設する。前記突起６ａ、突起５ａ〜５ｈの形状は、半円形、三角形、四角形のいずれかにし、前記突起６ａ、突起５ａ〜５ｈは各辺ごとに１個または２個突設することが好ましい。【選択図】  図７
2006024483.tif 000002
【特許請求の範囲】
【請求項１】
拡散板または／および光学シートを熱膨張分の隙間を介して光源前方側に配設された枠内に移動自在に収納・保持したバックライト装置において、
前記拡散板または／および光学シートの外周辺に、前記拡散板または／および光学シートと一体的に突起を突設したことを特徴とするバックライト装置。
【請求項２】
請求項１に記載のバックライト装置において、
前記突起の形状を半円形または／および三角形または／および四角形としたことを特徴とするバックライト装置。
【請求項３】
請求項１または２のいずれかに記載のバックライト装置において、
各外周辺に突起をそれぞれ１個または２個突設したことを特徴とするバックライト装置。
【請求項４】
拡散板または／および光学シートを熱膨張分の隙間を介して光源前方側に配設された枠内に移動自在に収納・保持したバックライト装置において、
前記拡散板または／および光学シートの外周辺に対向する枠の内側の各辺に突起を突設したことを特徴とするバックライト装置。
【請求項５】
請求項４に記載のバックライト装置において、
前記突起の形状を半円形または／および三角形または／および四角形としたことを特徴とするバックライト装置。
【請求項６】
請求項４または５のいずれかに記載のバックライト装置において、
枠の内側の各辺に突起をそれぞれ１個または２個突設したことを特徴とするバックライト装置。
【請求項７】
請求項１乃至６のいずれかに記載のバックライト装置を備えたことを特徴とする薄型表示装置。
【発明の詳細な説明】
【技術分野】
【０００１】
本発明は、液晶テレビ等の薄型表示装置およびその光源であるバックライト装置に関し、詳しくはバックライト装置に内蔵される拡散板および光学シートがそれらを収納する枠に衝突して発生する衝突音を小さくしたバックライト装置および薄型表示装置に関する。
【背景技術】
【０００２】
液晶テレビ等の薄型表示装置では、光源としてバックライト装置が用いられている。このバックライト装置は、蛍光管等の光源の前方にアクリル板等からなる拡散板が配置され、その前方に、拡散シート等の各種光学シートが配置されている。通常、光学シートは２枚以上配置されている。これら拡散板および光学シートは、バックライトの点灯時、発熱する蛍光管の前方に位置しているため、蛍光管の輻射熱により加熱されて温度上昇する。その結果、温度の上昇した分、熱膨張して、拡散板および光学シートの縦横の長さが増大する。
【０００３】
一般に、拡散板および光学シートはバックライト装置のハウジングの一部に形成された枠内に収容され保持されている。この枠は、拡散板および光学シートが熱膨張しても、熱応力が発生しないように、少なくとも拡散板および光学シートが熱膨張する分の隙間が常温時に形成されるように、大きめに形成されている。それにより、拡散板および光学シートは、その枠内で、常温の状態から点灯された高温の状態の間で、束縛を受けることなく自由に膨張と収縮を繰り返すことが可能となる。なお、従来の液晶テレビ等のバックライト装置において、拡散板および光学シートの周囲に熱膨張分の隙間を形成する構造として、特許文献１の「バックライト装置及びそれを用いた液晶装置」が知られている。
【特許文献１】特開平０６−２３０３８３号公報
【発明の開示】
【発明が解決しようとする課題】
【０００４】
ところで、液晶テレビ等では、表示装置が薄型、軽量に構成できることから、持ち運びを可能にしたものが製品化されている。これらの液晶テレビの場合も、バックライト装置には、拡散板および光学シートを備えており、その支持構造も、熱膨張を考慮して、拡散板および光学シートの周囲に隙間が形成されて、その隙間部分を端部が伸縮可能に支持されている。すなわち、これらの液晶テレビのバックライト装置部分では、常温の状態で、周囲に形成された隙間の範囲内を拡散板および光学シートが自在に移動が可能となる。その結果、持ち運び可能な小型の液晶テレビの場合は、液晶テレビ本体を持ち上げたり、振り上げたりすると、その衝撃で拡散板および光学シートが移動し、それらを収納している枠に衝突して、衝突音が発生する。
【０００５】
この衝突音は、その液晶テレビを持ち上げている人にとっては、液晶テレビから音が発生しているため、不愉快に感じられ、好ましいものではなかった。このように、小型の液晶テレビでは、バックライト装置部分での拡散板および光学シートによる衝突音の発生が問題になっており、可能であれば、不愉快に感じない程度に衝突音を小さくすることが望まれていた。そこで、本発明は、拡散板および光学シートをその周囲に隙間を介して枠内に収納保持しているバックライト装置およびそのバックライト装置を備えた薄型表示装置において、拡散板および光学シートが移動して枠に衝突する際に発生する衝突音を小さくすることを目的とした。
【課題を解決するための手段】
【０００６】
上記課題を解決するために、本発明は、拡散板または／および光学シートを熱膨張分の隙間を介して光源前方側に配設された枠内に移動自在に収納・保持したバックライト装置において、前記拡散板または／および光学シートの外周辺に、前記拡散板または／および光学シートと一体的に突起を突設したことを特徴とする。
ここで、前記突起の形状は、半円形、三角形、四角形のいずれかにすることができるし、前記突起は各辺ごとに１個または２個突設することが好ましい。
また、本発明は、拡散板または／および光学シートを熱膨張分の隙間を介して光源前方側に配設された枠内に移動自在に収納・保持したバックライト装置において、前記拡散板または／および光学シートの外周辺に対向する枠の内側の各辺に突起を突設したことを特徴とする。
ここで、前記突起の形状は、半円形、三角形、四角形のいずれかにすることができるし、前記突起は各辺ごとに１個または２個突設することが好ましい。
また、本発明は、前記突起を設けたバックライト装置を備えた薄型表示装置を特徴とする。
【発明の効果】
【０００７】
以上述べたように本発明によれば、拡散板、光学シートの外周辺、または拡散板、光学シートを収納する枠の内側各辺に、突起を突設したことで、拡散板、光学シートが移動して、枠の内側辺に衝突するとき、接触位置が突起部分に限定されて衝突音が軽減され、液晶テレビ等の薄型表示装置を持ち運ぶときの不愉快な異音の発生が少なくなる。
【発明を実施するための最良の形態】
【０００８】
以下、図に基づいて本発明の実施形態を液晶テレビに適用した場合に関し説明する。図１〜図３は液晶テレビの外観図を表す。図１〜図３において、１００は画像表示を行う液晶パネル、１０１は前キャビネット、１０２は後ろキャビネット、１０３は液晶テレビ本体の操作ボタン類、１０４はスピーカー、１０５はスタンドを表す。
【０００９】
次に、本発明に係るバックライト装置について説明する。図４は、図１〜図３の液晶テレビにおいて、液晶表示パネルが装着されたバッライト装置部分を示す断面図であり、図５は図４から液晶表示パネルを取り除いた状態のバックライト装置の斜視図であり、図６は図５の分解斜視図であり、図７は図４から取り出した光学シートの外観図である。
【００１０】
バックライト装置は、これらの図に示されるように、箱型に形成されたバックライトシャーシ４の内側に反射シート７が敷設され、その上に、光源である複数の蛍光管８が平行に配設されている。バックライトシャーシ４の上端は、その本体部分より１回り大きく外側に突出して、断面Ｌ字型の枠９が形成されている。この枠９の内側に、拡散板６が載置され、その上に拡散シート等の複数の光学シート５が重ねられている。この上に、断面Ｌ型のフレーム３が配置されて、さらにその上に液晶パネル１を挟み込むようにしてベゼル２が装着されている。
【００１１】
このバックライト装置は、バックライト装置の前方側に支持されている拡散板６および光学シート５が加熱されて熱膨張した際に、その膨張分により、拡散板６および光学シート５がその厚み方向に移動して、光学的に異常な挙動をして、表示面にシワ、シミ等を発生することがないように、拡散板５および光学シート６が自由に熱膨張できるように、周囲を拘束しないで支持する構造をしている。
【００１２】
すなわち、拡散板６および光学シート５は、蛍光管８の点灯時に輻射熱により加熱されて膨張するため、その膨張分を見越して、枠９との間に隙間が形成される寸法で断裁されるとともに、その外周４辺それぞれに、適間隔を置いて、半円状の突起５ａ〜５ｈ、６ａ等が突設されている。厳密には、これら突起５ａ〜５ｈ、６ａ等と枠９との間に形成される隙間が、拡散板６および光学シート５が熱膨張したときに、その膨張した分を吸収する隙間となる。このバックライト装置では、常温時には、拡散板６および光学シート５が膨張していないため、その突起５ａ〜５ｈ、６ａ等と枠９との間には隙間がある。
【００１３】
そのため、バックライト装置本体が急激な外力を受けて移動すると、枠９に対して、拡散板６および光学シート５が慣性によりその位置がずれて、いずれかの方向に相対的に移動して、次に、移動先に位置している枠９に衝突する。このとき、衝突する部分は、突起５ａ〜５ｈ、６ａ等の先端となり、局所的な衝突となる。その結果、発生する衝突音も、従来の突起５ａ〜５ｈ、６ａ等のない拡散板６および光学シート５が移動方向先端の辺全体で枠９に衝突した場合に比較して、小さい音となる。それにより、これらの構成をしたバックライト装置を組み込んだ液晶テレビでは、持ち運びの際に、本体を動かしたことにより発生する拡散板６および光学シート５の衝突音が小さくなり、ユーザーに不愉快な思いをさせることが少なくなる。
【００１４】
なお、図示例では、 1枚の拡散板６と１枚の光学シート５による構成について両者ともに突起を付けて説明したが、実質的な不快音として感じられる一方のみに突起を設けることも可能である。また、実際には３〜５枚程度の光学シートが用いられることが多く、その場合の突起の設定も、衝突音実験などに基づき、各光学シートにそれぞれ設けたり、選択された光学シートに対してのみ設けられることになる。また、図示例では、突起の形状を半円状としているが、他に三角形、四角形、台形等の形状にすることも可能であり、また、それらの組み合わせも可能である。
【００１５】
また、図示例では、各辺にそれぞれ２個づつ突起を設けたが、１個でも３個以上でも衝突音の程度に差はあるものの同様な効果があることが確認できた。さらには、図示例では、拡散板６および光学シート５側に突起を設けたが、衝突する相手側の枠９の内側に突起を形成しても、同様に衝突音を軽減することが可能である。さらに、拡散板６または／および光学シート５側と枠９の双方に突起を設けることも可能であり、双方の突起の形状や個数は実験などにより最適に設定されることになる。
【００１６】
次に、光学シートの一種である拡散シートを用いて、拡散シートに設けた突起が枠に衝突したときの衝突音の低減を目的として、関係諸元の最適化をタグチメソッドにより試みてみた結果について説明する。実験は、図８のように、バックライトシャーシ４の枠内に、突起を設けた拡散シート（厚み：132μｍ、凸部含まないサイズ：244ｍｍ×318ｍｍ）を置き、右端が上になるように傾けてから倒し、水平床面に衝突するときの角速度を４５°ｄｅｇ／秒として、拡散シートが横滑りして枠に衝突したときに発生する衝突音を１５０ｍｍ離れた位置で騒音計により測定した。
【００１７】
実験では、表１に示されるように、拡散シートの諸元（制御因子と水準）として、突起の位置については、突起を２つにしてその位置を両端とした場合と、それより内側にした場合と、突起を中央に１つとした場合とした。突起の凸量すなわち高さについては、１ｍｍにした場合と、２ｍｍにした場合と、３ｍｍにした場合とした。突起の形状については、図９に示されるように、幅１０ｍｍの四角形にした場合と、頂角９０度の三角形にした場合と、半径５ｍｍの半円形にした場合とした。それぞれについて水準１、水準２、水準３とした。
【００１８】
【表１】
2006024483.tif 000003
【００１９】
誤差因子と水準として、表２に示されるように、拡散シートとバックライトシャーシ４すなわちシールドとの隙間を、１．５ｍｍと５ｍｍの２段階とし、それぞれを水準１と水準２とした。
【００２０】
【表２】
2006024483.tif 000004
【００２１】
実験は、表３に示されるように、突起の位置、凸量、形状の各水準を組み合わせて９通りとし、それぞれ隙間を水準１の場合と水準２の場合について実施し、各水準の組み合わせごとに、７回実験し、測定した衝突音の最大値と最小値を除いた５回の測定値の平均を求めた。表３の衝突音の測定値は、ｄＢの単位である。
【００２２】
【表３】
2006024483.tif 000005
【００２３】
さらに、表３では、衝突音の測定値からリニア値を求め、隙間が１．５ｍｍと５ｍｍとのＳＮ比ηを次式により算出した。
【００２４】
【数１】
2006024483.tif 000006
【００２５】
また、表３からさらに、突起の位置、突起の凸量、突起の形状の各水準ごとのηの値を、表４のように算出すると、表５の結果が得られ、それを図示したものが、図１０の要因効果図となる。この実験からは、突起の位置、突起の凸量、突起の形状とも、第３水準の場合にＳＮ比が大きく、衝突音が小さいことが確認できた。
【産業上の利用可能性】
【００２６】
本発明は、バックライト装置を備えた液晶表示装置等の薄型表示装置全般に利用可能であるが、特に、持ち運び可能な小型サイズの薄型表示装置での利用が可能である。
【図面の簡単な説明】
【００２７】
【図１】本発明にかかる液晶テレビの外観図である。
【図２】本発明にかかる液晶テレビの外観図である。
【図３】本発明にかかる液晶テレビの外観図である。
【図４】本発明にかかるバッライト装置を示す断面図である。
【図５】図４から液晶表示パネルを取り除いた状態を示す斜視図である。
【図６】図５の分解斜視図である。
【図７】図４から取り出した光学シートの外観図である。
【図８】本発明における衝突音の測定実験の実施例を示す説明図である。
【図９】本発明における衝突音の測定実験での拡散シートの突起形状を示す図である。
【図１０】本発明における衝突音の測定実験の測定値から得られた要因効果図である。
【符号の説明】
【００２８】
１  液晶パネル
２  ベゼル
３  フレーム
４  バックライトシャーシ
５  光学シート
５ａ〜５ｈ  突起
６  拡散板
６ａ  突起
７  反射シート
８  蛍光管
９  枠
１００  液晶パネル
１０１  前キャビネット
１０２  後ろキャビネット
１０３  操作ボタン類
１０４  スピーカー
１０５  スタンド
【図１】
2006024483.tif 000007
【図２】
2006024483.tif 000008
【図３】
2006024483.tif 000009
【図４】
2006024483.tif 000010
【図５】
2006024483.tif 000011
【図６】
2006024483.tif 000012
【図７】
2006024483.tif 000013
【図８】
2006024483.tif 000014
【図９】
2006024483.tif 000015
【図１０】
2006024483.tif 000016